(57)【要約】  本発明は、トップシート（２２）、バックシート（２４）及びそれらの間に位置決めされた吸収性コア（２０）、第１及び第２の長手方向に延在している弾性カフ（３０ａ，３０ｂ）を含む乳幼児又は成人用おむつ（１０）に関し、第１及び第２の弾性カフ（３０ａ，３０ｂ）はトップシート（２２）の各長手方向側面上に互いに対向して位置決めされる。おむつ（１０）は、前領域（Ａ）と後領域（Ｃ）の間に位置付けられた股領域（Ｂ）を有し、第１及び第２の弾性カフ（３０ａ，３０ｂ）が各々前領域（Ａ’）と後領域（Ｃ’）の間に位置付けられた股領域（Ｂ’）を有し、これら領域（Ａ’，Ｂ’，Ｃ’）はおむつ（１０）のそれぞれの領域（Ａ，Ｂ，Ｃ）に、又は隣接して概して定置されている。第１及び第２の弾性カフ（３０ａ，３０ｂ）のそれぞれは、おむつに付着された近位縁（３２）及び末端縁（３４）を有し、末端縁の少なくとも股領域（Ｂ’）はおむつ（１０）に付着せず、フリーフラップ（３８ａ，３８ｂ）を形成する。おむつ（１０）は、第１及び第２の弾性カフ（３０ａ，３０ｂ）の両方に付着しているカフコネクタ（７０）を含み、カフコネクタ（７０）は、概ね横方向に延在し、かつ第１及び第２の弾性カフ（３０ａ，３０ｂ）の間に力をかけることができ、力は、弾性カフ（３０ａ）の一方のフリーフラップ（３８ａ）から弾性カフ（３０ｂ）の他方のフリーフラップ（３８ｂ）への方向を有している。カフコネクタ（１０）は、カフコネクタ材料を含み、カフコネクタ材料は、  −使用時の２サイクルヒステリシス試験にしたがって測定する際、約１．０Ｎ以下の第１サイクル延伸力で約０．８の横方向歪みを有し、かつ、  −使用時の２サイクルヒステリシス試験にしたがって測定する際、約０．８の横方向歪みに延伸した後に、約３０％歪み以下を有し、かつ  −２２℃でインプロセス２サイクルヒステリシス試験にしたがって測定する際、少なくとも約０．８の歪みに横方向に弾性的延伸性である。
2016530926.tif 000002
【特許請求の範囲】
【請求項１】
長手方向中心線（Ｙ）及び前記長手方向中心線（Ｙ）に対して垂直な横方向中心線（Ｘ）を有する乳幼児又は成人用おむつ（１０）であって、前記おむつ（１０）は、トップシート（２２）、バックシート（２４）及びそれらの間に位置決めされた吸収性コア（２０）、及び第１の長手方向に延在している弾性カフ（３０ａ）及び第２の長手方向に延在している弾性カフ（３０ｂ）を含み、前記第１及び前記第２の弾性カフ（３０ａ，３０ｂ）が前記トップシート（２２）の各長手方向側面上に互いに対向して位置決めされ、また前記おむつ（１０）は、前領域（Ａ）と後領域（Ｃ）との間に位置付けられた股領域（Ｂ）を有し、前記第１及び前記第２の長手方向に延在している弾性カフ（３０ａ，３０ｂ）が各々、前領域（Ａ’）と後領域（Ｃ’）との間に位置付けられた股領域（Ｂ’）を有し、これら前記長手方向に延在している弾性カフ（３０ａ，３０ｂ）の領域は、前記おむつ（１０）のそれぞれの領域に、又はそれぞれの領域に隣接して概して位置付けられ、かつ前記第１の長手方向に延在している弾性カフ（３０ａ）及び前記第２の長手方向に延在している弾性カフ（３０ｂ）のそれぞれは、近位縁（３２）を有し、そこでそれぞれ前記長手方向に延在している弾性カフは前記おむつに付けられ、また前記第１の長手方向に延在している弾性カフ（３０ａ）及び前記第２の長手方向に延在している弾性カフ（３０ｂ）のそれぞれは、末端縁（３４）を有し、その少なくとも前記股領域（Ｂ’）は前記おむつ（１０）に付着されずにフリーフラップ（３８ａ，３８ｂ）を形成し、また前記おむつ（１０）は、前記第１の長手方向に延在している弾性カフ（３０ａ）及び前記第２の長手方向に延在している弾性カフ（３０ｂ）に付着され、かつ概ね横方向に延在し、かつ前記第１の長手方向に延在している弾性カフ（３０ａ）と前記第２の長手方向に延在している弾性カフ（３０ｂ）との間に力を付与することができるカフコネクタ（７０）を含み、前記カフコネクタ（１０）は、カフコネクタ材料を含み、かつ前記カフコネクタ材料は、
−使用時の２サイクルヒステリシス試験にしたがって測定する際、約１．０Ｎ以下の第１サイクル延伸力で約０．８の横方向歪みを有し、かつ、
−使用時の２サイクルヒステリシス試験にしたがって測定する際、約０．８の横方向歪みに延伸した後に、約３０％歪み以下を有し、かつ
−２２℃でインプロセス２サイクルヒステリシス試験にしたがって測定する際、少なくとも約０．８の歪みに横方向に弾性的延伸性である、おむつ（１０）。
【請求項２】
前記カフコネクタ（７０）が、前記第１の長手方向に延在している弾性カフ（３０ａ）の前記股領域（Ｂ’）に付着し、かつ前記第２の長手方向に延在している弾性カフ（３０ｂ）の前記股領域（Ｂ’）に付着する、請求項１に記載のおむつ（１０）。
【請求項３】
前記カフコネクタ（７０）が、前記第１の長手方向に延在している弾性カフ（３０ａ）と前記第２の長手方向に延在している弾性カフ（３０ｂ）とを直接連結する、請求項１又は２に記載のおむつ（１０）。
【請求項４】
前記カフコネクタ（７０）が、前記第１の長手方向に延在している弾性カフ（３０ａ）及び前記第２の長手方向に延在している弾性カフ（３０ｂ）以外の前記おむつ（１０）の部分に付着していない、請求項１〜３のいずれか一項に記載のおむつ（１０）。
【請求項５】
前記カフコネクタ（７０）が、前記おむつがその格納構成にある場合、前記第１の長手方向に延在している弾性カフ（３０ａ）及び前記第２の長手方向に延在している弾性カフ（３０ｂ）に実質的な力を与えない、請求項１〜４のいずれか一項に記載のおむつ（１０）。
【請求項６】
前記カフコネクタ（７０）が、前記カフコネクタ（７０）の付着領域に隣接する前記長手方向に延在している弾性カフ（３０ａ，３０ｂ）の延在方向に対して本質的に垂直である方向に延在する、請求項１〜５のいずれか一項に記載のおむつ（１０）。
【請求項７】
前記カフコネクタ（７０）が、接着剤によって前記長手方向に延在している弾性カフの少なくとも一方に付着する、請求項１〜６のいずれか一項に記載のおむつ（１０）。
【請求項８】
前記カフコネクタ（７０）がストリップの形状で供給される、請求項１〜７のいずれか一項に記載のおむつ（１０）。
【請求項９】
前記ストリップが、前記おむつ（１０）の前記長手方向で測定される場合に、約２ｍｍ〜約２５ｍｍの幅を有する、請求項６に記載のおむつ（１０）。
【請求項１０】
前記カフコネクタ（７０）が、前記横方向で測定される場合に、約３ｃｍ〜約１５ｃｍの長さを有する、請求項１〜９のいずれか一項に記載のおむつ（１０）。
【請求項１１】
前記カフコネクタ（７０）が、不織布材料を含むか、又は不織布材料から作製される、請求項１〜１０のいずれか一項に記載のおむつ（１０）。
【請求項１２】
前記カフコネクタ（７０）が、弾性材料を含むか、又は弾性材料から作製される、請求項１〜１１のいずれか一項に記載のおむつ（１０）。
【請求項１３】
前記カフコネクタ（７０）が、弾性材料又は不織布材料を含む積層体から作製されるか、又は当該積層体を含む、請求項１〜１２のいずれか一項に記載のおむつ（１０）。
【発明の詳細な説明】
【技術分野】
【０００１】
本発明は、改善したフィット及び防漏を有する、乳幼児用おむつ、トレーニングパンツ、及び成人用失禁用品等を含んでいる、おむつを目的とする。１つの態様では、改善されたフィット及び防漏は、横方向に対向するカフを接続するコネクタにより達成される。
【背景技術】
【０００２】
いくつかのおむつの種類では、フィットを改善し及び／又はおむつからの糞便及び尿の漏れを減少するため、糞便により生殖器又は他の皮膚が汚れるのを減少するため、又は尿と糞便の混合を低減するため、皮膚の炎症の危険性を更に減らすための構成部品が提案されている。例えば、収集した糞便及び尿のためのボイドスペースへの通路を設けている、開口部を備えるトップシートを有するおむつが提案されており、尿及び糞便を別々の領域に受容するために２つの開口部を備えるおむつも提案され、更におむつの中央に置かれた、横方向に位置する３次元弾性障壁又はパーティションを備えるおむつが提案され、糞便及び尿を壁又はパーティションの両側にそれぞれに受容し、かつ物品の前方へ糞便が移動するのを回避している。
【０００３】
例えば、欧州特許第１  ２１９  ２７４  Ｂ１号（Ｔａｂａｔａら）は、少なくとも１つの起立カフを備える使い捨て吸収性物品を開示している。そのような起立カフは、ある伸縮部材を必要とし、したがって複雑で生産コストがかかる。
【０００４】
欧州特許第１  ２３２  ７３６  Ｂ１号（Ｔｏｙｏｓｈｉｍａら）は、１対の３次元ガード及び複数の関連する弾性部材を備える吸収性物品を開示している。また、３次元ガードは複雑で生産コストがかかる。更に、何らかの方法で吸収性物品の装着快適性を含み、介護者にとって物品を着用者に適切に装着することを一層困難にしている。
【０００５】
本発明者は、しかしながら、従来のカフ及び特に比較的高い従来のカフが、あるカフコネクションと組み合わせて使用され得ることを発見した。そのようなコネクタと共に用いる場合でも、高いカフは確かな防漏及び高い装着快適性を提供する。
【先行技術文献】
【特許文献】
【０００６】
【特許文献１】欧州特許第１  ２１９  ２７４  Ｂ１号
【特許文献２】欧州特許第１  ２３２  ７３６  Ｂ１号
【発明の概要】
【課題を解決するための手段】
【０００７】
本発明は、乳幼児又は成人用おむつに関する。長手方向中心線（Ｙ）及び前記長手方向中心線（Ｙ）に対して垂直な横方向中心線（Ｘ）を有する乳幼児又は成人用おむつ（１０）であって、トップシート（２２）及びバックシート（２４）及びそれらの間に位置決めされた吸収性コア（２０）、及び第１の長手方向に延在している弾性カフ（３０ａ）及び第２の長手方向に延在している弾性カフ（３０ｂ）を含み、前記第１及び前記第２の弾性カフ（３０ａ，３０ｂ）が前記トップシート（２２）の各長手方向側面上に互いに対向して位置決めされ、また前記おむつ（１０）は、前領域（Ａ）と後領域（Ｃ）の間に位置付けられた股領域（Ｂ）を有し、前記第１及び前記第２の長手方向に延在している弾性カフ（３０ａ，３０ｂ）が各々、前領域（Ａ’）と後領域（Ｃ’）の間に位置付けられた股領域（Ｂ’）を有し、これら前記長手方向に延在している弾性カフ（３０ａ，３０ｂ）の領域は、前記おむつ（１０）のそれぞれの領域に、又はそれぞれの領域に隣接して概して位置付けられ、かつ前記第１の長手方向に延在している弾性カフ（３０ａ）及び前記第２の長手方向に延在している弾性カフ（３０ｂ）のそれぞれは、近位縁（３２）を有し、そこでそれぞれ前記長手方向に延在している弾性カフは前記おむつに付けられ、また前記第１の長手方向に延在している弾性カフ（３０ａ）及び前記第２の長手方向に延在している弾性カフ（３０ｂ）のそれぞれは、末端縁（３４）を有し、その少なくとも前記股領域（Ｂ’）は前記おむつ（１０）に付着されずにフリーフラップ（３８ａ，３８ｂ）を形成し、また前記おむつ（１０）は、前記第１の長手方向に延在している弾性カフ（３０ａ）及び前記第２の長手方向に延在している弾性カフ（３０ｂ）に付着され、かつ概ね横方向に延在し、かつ前記第１の長手方向に延在している弾性カフ（３０ａ）及び前記第２の長手方向に延在している弾性カフ（３０ｂ）の間に力を付与することができるカフコネクタ（７０）を含み、カフコネクタ（１０）は、カフコネクタ材料を含み、かつカフコネクタ材料は、
−使用時の２サイクルヒステリシス試験にしたがって測定する際、約１．０Ｎ以下の第１サイクル延伸力で約０．８の横方向歪みを有し、かつ、
−使用時の２サイクルヒステリシス試験にしたがって測定する際、約０．８の横方向歪みに延伸した後に、約３０％歪み以下を有し、かつ
−２２℃でインプロセス２サイクルヒステリシス試験にしたがって測定する際、少なくとも約０．８の歪みに横方向に弾性的延伸性である。
【図面の簡単な説明】
【０００８】
【図１】本発明の特徴を備えて使用するのに適した平坦状態でのおむつの正面図であるが、本発明の具体化には至っていない。
【図２】切断線２−２で取った図１のおむつの断面図である。
【図３】本発明のかみそりの正面図である。
【図４】切断線４−４で取った図３のおむつの断面図である。
【図５】図３及び図４のヘッドの平面図を示す。
【発明を実施するための形態】
【０００９】
本明細書で使用される「おむつ」は、着用者の胴体下部の周囲に装着される吸収性物品を示し、乳幼児（乳児及び幼児）おむつ及び成人用おむつを含み、かつ胴体下部の周りに締め付けるための締着具を備える、いわゆるおむつ、及びパンツタイプのおむつを含む。
【００１０】
「前領域」（Ａ）及び「後領域」（Ｃ）は、本明細書では２つの領域を示すのに用いられ、それらは使用中、それぞれ着用者の前方と後方に近接し、おむつ又はおむつ部分又はそれらの要素、例えば弾性カフあるいはトップシートの横方向寸法に広がり、かつ各領域はおむつ又はおむつ部分又はそれらの要素、例えば弾性カフあるいはトップシートの長手方向寸法の（正確に又は概ね又はおよそ）４分の１である長手方向寸法を有する。
【００１１】
「股領域」（Ｂ）は、前領域と後領域の間に位置決められた領域を示すために本明細書で使用され、おむつ又はおむつ部分又はそれらの要素、例えば弾性カフあるいはトップシートの長手方向寸法の（正確に又は概ね又はおよそ）２分の１である長手方向寸法を有する。
【００１２】
「長手方向」は、おむつ又はおむつ部分又はトップシートの長手方向中心線（Ｙ）に対して、実質的に平行又は正確に平行して延びている方向を示すために本明細書で使用され、プロセスの機械加工方向（ＭＤ）であってもよい。
【００１３】
「側方」又は「横方向」は、おむつ又はおむつ部分又はトップシートの長手方向中心線（Ｙ）に対して、実質的に垂直又は正確に垂直となる方向を示すために本明細書で使用され、プロセスの横断機械方向（ＣＤ）であってもよい。
【００１４】
「Ｚ方向」は、長手方向に垂直及び横方向又は側方向に垂直な方向を示すために本明細書で使用される。
【００１５】
「長手方向寸法」、「横方向寸法」又は「Ｚ方向」は、おむつ、おむつ部分又はその要素、例えば弾性カフ又はトップシートの寸法を示すために本明細書で使用され、それぞれおむつ又はおむつ部分又はその要素の長手方向、横方向又はＺ方向で測定される。
【００１６】
「実質的に垂直である」及び「実質的に平行な」は、別途明記若しくは指定しない限り、正確に垂直若しくは平行な方向から３０°以内、又は２０°以内、又は１０°以内、又は５°以内の方向を含む。
【００１７】
本明細書で使用するとき、「沿う」は、「少なくとも部分的に（実質的に）平行であり、かつ隣接する」ことを意味する。
【００１８】
「弛緩した」又は「弛緩状態」又は「収縮した」又は「収縮状態」は、おむつ又はおむつ部分にそれぞれ付加される力がない場合の、おむつ又はおむつ部分の状態を示すために本明細書で使用される。
【００１９】
「平坦な状態」は、おむつが水平面上に平坦に配置される場合のおむつの状態を指すのに本明細書で使用される。
【００２０】
「末端縁」は、弾性カフの長手方向に延在している縁部を指すのに本明細書で使用され、使用中に、同じ弾性カフの別の長手方向に延在している縁部よりも着用者の身体に近接する。
【００２１】
本明細書で使用する場合、「不織布ウェブ」とは、摩擦及び／又は粘着及び／又は接着により結合させた、指向性に又はランダムに配向された繊維から作られたシート、ウェブ、又は打延べ綿シートを意味し、紙、及び更なるニードル加工の有無を問わず、結束糸若しくはフィラメントを組み込んだ織り製品、編み製品、タフテッド製品、ステッチ結合製品、又は湿式粉砕によるフェルト製品は含まない。繊維は、天然由来のものであっても人工起源のものであってもよく、ステープル若しくは連続フィラメントであっても、又はその場で形成されたものであってもよい。市販の繊維は、約０．００１ｍｍ未満から約０．２ｍｍ超の範囲の直径を有し、単繊維（ステープル繊維又は細断繊維として知られる）、連続単繊維（フィラメント又はモノフィラメント）、連続フィラメントの撚っていない束（麻くず）、及び連続フィラメントの撚り束（編み糸）などのいくつかの異なる形態によって提供される。不織布ウェブは、メルトブロー、スパンボンド、溶媒紡糸、電界紡糸、カード、及びエアレイなどの多くのプロセスによって形成され得る。不織布ウェブの坪量は、通常は、グラム毎平方メートル（ｇ／ｍ２又はｇｓｍ）で表される。
【００２２】
以下において図面を参照して、本発明を更に説明する。加えて、本発明を、あるその特徴に関して説明する。本発明は、特にトップシート、バックシート、バリアレッグカフともいわれる長手方向に延在している弾性カフ、弾性ウエスト特徴及びカフコネクタを含むおむつに関する。これらの要素を、最初に更に詳細に記述する。
【００２３】
カフコネクタ
カフコネクタは、弛緩状態で、３．０ｃｍから、又は４．０ｃｍから、又は５．０ｃｍから、例えば１５．０ｃｍまで、又は１０．０ｃｍまで、又は８．０ｃｍまで、又は７．０ｃｍまで、又は６．０ｃｍまで、又は５．５ｃｍまでの横方向寸法を有してもよい。
【００２４】
カフコネクタは、弛緩状態で、少なくとも２．０ｍｍ、又は少なくとも４．０ｍｍ、又は少なくとも５．０ｍｍで、２５．０ｍｍ、２０．０ｍｍ、１５．０ｍｍ、１２．０ｍｍ未満又は１０．０ｍｍ未満の平均長手方向寸法を有してもよい。
【００２５】
カフコネクタがストリップの形状で供給される場合、上記長手方向及び横方向寸法はストリップの寸法となる。
【００２６】
それは、カフコネクタをおむつの股領域に、例えばその中央に及びおむつの前領域に少し近接して定置させるのに役立つ。おむつの前縁から、おむつの前縁に面するカフコネクタの縁部の間までの距離は、したがっておむつの前縁から後縁までのおむつの全長の２５％〜５０％又は３０％〜４５％となるように選択されてもよい。
【００２７】
カフコネクタは、少なくとも横方向に弾性的延伸性であり、つまり力の印加により延伸でき、かつ力の解放によりほぼその元の幅に収縮できる。
【００２８】
カフコネクタは、長手方向に弾性的延伸性であってもよい。
【００２９】
カフコネクタは、少なくとも横方向にカフコネクタを弾性的延伸性にレンダリングする、伸縮性シート材料で作製されてもよい。
【００３０】
「伸縮性」は、カフコネクタ用に本明細書で使用される場合、１つの特定領域又は複数の特定領域、つまり伸縮性領域（複数も可）にのみ、弾性材料、例えば１つ以上の弾性バンド又はストランドが提供されている非弾性シート材料から作製されることを意味する。
【００３１】
カフコネクタの１つ以上の部分は、実質的に横方向に延在している１つ以上の弾性バンド（複数も可）又はストランド（複数も可）を、例えば非弾性不織シートなどの非弾性であってもよいシート材料に適用することにより伸縮性となってもよい。
【００３２】
不織シート材料は、ポリエチレン及び／又はポリプロピレンなど、当該技術分野で周知のポリオレフィンから作製されてもよく、後に不織シートに作製される複合繊維を含む繊維に作製されてもよい。不織シートは、ネック付き不織布であってもよい。不織シート材料は、メルトブロー不織布又はスパンボンド不織布又はカード不織布であってもよく、それらの積層体であってもよく、例えば、スパンボンド又はカード層又は複数層とメルトブロー不織布層（複数も可）の積層体であってもよい。
【００３３】
カフコネクタ材料は、バリア材料であってもよく、疎水性であってもよく、例えば、親水性であって、かつ当該技術分野で周知な、例えばワックス又は１つ以上のシリコーンポリマ又はフッ素化ポリマを含んでいる疎水性表面コーティングなど、疎水性表面コーティングを備える疎水性を作製してもよい。カフコネクタは、ローションで処理することもできる。
【００３４】
カフコネクタ
カフコネクタは、カフコネクタ材料を含む。カフコネクタは、材料により本質的に、又は十分に供給されてもよい。材料は、上記のように、不織布又は積層体であり得る。一定の条件を満たしているカフコネクタ材料は、以下に表すように、最も良く機能することが発見された。したがって、ある歪測定は、有利な材料を識別するのに有用である。
【００３５】
カフコネクタ材料は、以下に説明するように、使用時の２サイクルヒステリシス試験にしたがって測定する際、１．０Ｎ以下の第１サイクル延伸力で、０．８の横方向歪み（その幅の少なくとも１．８倍まで延伸）を有する。カフコネクタ材料は、使用時の２サイクルヒステリシス試験にしたがって測定する際、１．５Ｎ以下の第１サイクル延伸力で、又は１．０Ｎ以下の第１サイクル延伸力で、１．２の横方向歪み（その幅の少なくとも２．２倍まで延伸）を有する。カフコネクタ材料は、使用時の２サイクルヒステリシス試験にしたがって測定する際、０．８Ｎ以下の第１サイクル延伸力で、又は０．６Ｎ以下の第１サイクル延伸力で、典型的には少なくとも０．２Ｎ、又は少なくとも０．３Ｎの第１サイクル延伸力で、０．８又は１．２の横方向歪みを有してもよい。よって、カフコネクタ材料は、着用者が脚を広げる場合、弾性カフ３０ａ、３０ｂをカフコネクタ材料の力によって過度に制限することなく拡張し、かつ外向きに動かすことができる。これにより、弾性カフ３０ａ、３０ｂは、適所に静止でき、弾性カフ３０ａ、３０ｂ上に糞便が漏れる危険性を減じることができる。
【００３６】
カフコネクタ材料は、使用時の２サイクルヒステリシス試験にしたがって測定する際、０．８の横方向歪みに延伸した後に、３０％歪み以下を有する。カフコネクタ材料は、使用時の２サイクルヒステリシス試験にしたがって測定する際、１．２の横方向歪みに延伸した後に、３０％歪み以下を有してもよい。カフコネクタ材料は、使用時の２サイクルヒステリシス試験にしたがって測定する際、０．８又は１．２の横方向歪みに延伸した後に、２０％歪み以下を有してもよい。それは、使用時の２サイクルヒステリシス試験にしたがって測定する際、０．８又は１．２の横方向歪みに延伸した後に、１０％歪み以下を有してもよい。よって、横方向カフコネクタ材料は、使用時に、着用者が両脚を一緒に動かす場合、非常に小さい寸法に非常に迅速に収縮でき、それによってカフコネクタ材料の緩みを回避し、かつカフコネクタ材料上に糞便が漏れる危険性を減少する。したがって、カフコネクタ材料は、使用中、着用者が動いて脚を広げる場合及び静止して脚を閉じる場合の両方で、着用者の皮膚と接したままとなる。
【００３７】
カフコネクタ材料は、インプロセス２サイクルヒステリシス試験にしたがって測定する際、少なくとも０．８の歪みまで横方向に弾性的延伸性である。カフコネクタ材料又はカフコネクタ材料１５は、インプロセス２サイクルヒステリシス試験にしたがって測定する際、少なくとも１．２又は少なくとも１．５又は少なくとも２．０又は少なくとも２．５又は少なくとも３．０又は少なくとも３．５の歪みまで、横方向に弾性的延伸性であってもよい。これは、弾性材料を処理するのに適する任意の力、典型的には２０Ｎ以下の力、又は典型的には１０Ｎ以下の力で行うことができる。したがって、カフコネクタ材料は、高延伸を要求するプロセスにて処理されることができ、高速処理を可能とするため、直後にほぼその元の幅に収縮する。
【００３８】
カフコネクタ材料は、インプロセス２サイクルヒステリシス試験にしたがって、ある歪み値まで延伸された後に、インプロセス２サイクルヒステリシス試験にしたがって測定されたパーセント歪みが３０％歪み以下、又は２０％歪み以下、又は１０％歪み以下である場合、その歪み値まで横方向に弾性的延伸性であることが理解されるべきである。そのような低歪み値を備えることで、カフコネクタ材料が、おむつ１の処理の間に損傷を受けないことが保証される。
【００３９】
試験方法
２サイクルヒステリシス検査（使用時及びインプロセス）
機器及びサンプルの準備
この試験用の適切な計器としては、ＭＴＳ  Ｓｙｓｔｅｍｓ  Ｃｏｒｐ．，Ｅｄｅｎ  Ｐｒａｉｒｉｅ，Ｍｉｎｎ．（例えば、Ａｌｌｉａｎｃｅ  ＲＴ／１又はＳｉｎｔｅｃｈ  １／Ｓ）又はＩｎｓｔｒｏｎ  Ｅｎｇｉｎｅｅｒｉｎｇ  Ｃｏｒｐ．，Ｃａｎｔｏｎ，Ｍａｓｓ．又はＺｗｉｃｋ／Ｒｏｅｌｌ，Ｋｅｎｎｅｓａｗ，Ｇｅｏｒｇｉａ／Ｕｌｍ，Ｇｅｒｍａｎｙから販売される引張試験機が挙げられる。
【００４０】
試験機は、上部グリップ及び下部グリップにグリップフェースセットを備え、各セットには、１つのゴムコートフェース（８０ショアＡ硬度）及び１つの接触線フェース（金属）があり、ずれを防止するため接触線フェースをゴムコートフェースに係合するねじ機構を有する。上部グリップ及び下部グリップの長さは、少なくとも試験される試験体の固定長さ以上であり、グリップ長さは試験体の長さに平行するグリップの寸法となる。荷重計が、測定される最大荷重が荷重計の最大性能の１０〜９０％内であるように、使用される。計器が、製造者の仕様書にしたがって較正される。
【００４１】
おむつから試験体を得る前に、おむつを少なくとも２４時間、周囲温度（２２℃＋／−５℃）で弛緩状態に維持する。
【００４２】
カフコネクタ材料は、おむつの長手方向中心線Ｙを中心に２０ｍｍの横方向寸法（幅）と３０ｍｍの長手方向寸法（長さ）を有する長方形の試験体を得るために切断され、横方向寸法と長手方向寸法の両方は、試験体が平らな水平面上に配置される場合、試験体の弛緩した収縮状態で測定される試験体の横方向寸法及び長手方向寸法は、カフコネクタ材料のそれぞれ横方向寸法及び長手方向寸法と平行に測定される。
【００４３】
使用時の２サイクルヒステリシス試験（３４℃での測定）
使用時の２サイクルヒステリシス試験は以下のように実行される。
１．緩み調整緩み調整の予圧力が０．０２Ｎに達するまで、クロスヘッドを１３ｍｍ／分の速度で動かす。０．０２Ｎの緩み調整予圧力でのグリップの接触線の間の距離は、初期サンプル幅Ｗ０（工学的歪＝０％）に等しい調整されたゲージ幅ＷＧＡｄｊである。
【００４４】
２．第１サイクル
試験体を１００ｍｍ／分のクロスヘッド速度で被試験工学的歪まで延伸し、かつこの工学的歪で６０秒間保持する。その後、クロスヘッドを１００ｍｍ／分のクロスヘッド速度で調整されたゲージ幅ＷＧＡｄｊへ戻し、かつこの調整されたゲージ幅ＷＧＡｄｊで６０秒間保持する。
【００４５】
３．第２サイクル
試験体を第１サイクルの工学的歪と同じ工学的歪まで１００ｍｍ／分のクロスヘッド速度で延伸し、かつこの工学的歪で６０秒間保持する。その後、クロスヘッドを１００ｍｍ／分のクロスヘッド速度で調整されたゲージ幅ＷＧＡｄｊへ戻し、かつこの調整されたゲージ幅ＷＧＡｄｊで６０秒間保持する。
【００４６】
力、時間及び工学的歪データは、使用時の２サイクルヒステリシス試験の全てのセグメントのために、５０Ｈｚの周波数で得られる。パーセント歪み（％歪み）は、パーセントで工学的歪として定義され、０．０６９Ｎ（７重量グラム）の第２サイクル延伸力が測定される。
【００４７】
５つの試験体の最小は、引張試験機テストソフトウェア（例えば、Ａｌｌｉａｎｃｅ  ＲＴ１  ＭＴＳ  ＩｎｓｔｒｕｍｅｎｔはＴｅｓｔＷｏｒｋｓ４  ｖｅｒｓｉｏｎ  ４．０８Ｂである）によって提供されている平均試験値、平均データを決定するために測定される。
【００４８】
方法報告は、被試験工学的歪、試験体寸法及び測定に使用される固定長さを特定する。
【００４９】
方法のために報告されたカフコネクタ材料の特性は、被試験工学的歪での第１サイクル延伸力及び％歪みである。
【００５０】
インプロセス２サイクルヒステリシス試験（２２℃で測定）
インプロセス２サイクルヒステリシス試験は以下のように実行される。
１．緩み調整使用時の２サイクルヒステリシス試験用の上記工程１と同じ工程。
【００５１】
２．第１サイクル
試験体を、８００ｍｍ／分のクロスヘッド速度で被試験工学的歪まで延伸する。この工学的歪で保持しない。その後、クロスヘッドを８００ｍｍ／分のクロスヘッド速度で調整されたゲージ幅ＷＧＡｄｊへ戻し、かつこの工学的歪で６０秒間保持する。
【００５２】
３．第２サイクル
試験体を第１サイクルの工学的歪と同じ工学的歪まで、８００ｍｍ／分のクロスヘッド速度で延伸する。この工学的歪で保持しない。その後、クロスヘッドを８００ｍｍ／分のクロスヘッド速度で調整されたゲージ幅ＷＧＡｄｊへ戻し、かつこの工学的歪で６０秒間保持する。
【００５３】
おむつのカフコネクタ材料の各試験体を、インプロセス２サイクルヒステリシス試験後に損傷に関して調べる。本発明のカフコネクタ材料シート材には、試験後に損傷があってはならない。損傷は、パーセント歪みを介して定義される。パーセント歪み（％歪み）は、パーセントで工学的歪として定義され、０．０６９Ｎ（７重量グラム）の第２サイクル延伸力が測定される。パーセント歪みが３０％より低い場合、試験体は損傷していないと見なされ、したがって被試験工学的歪まで弾性的延伸性であると見なされる。
【００５４】
５つの試験体の最小は、引張試験機テストソフトウェア（例えば、Ａｌｌｉａｎｃｅ  ＲＴ１  ＭＴＳ  ＩｎｓｔｒｕｍｅｎｔはＴｅｓｔＷｏｒｋｓ４  ｖｅｒｓｉｏｎ  ４．０８Ｂである）によって提供されている平均試験値、平均データを決定するために測定される。
【００５５】
方法報告は、使用される工学的歪、試験体寸法及び測定に使用される固定長さを特定する。
【００５６】
方法のために報告されたカフコネクタ材料シートの特性は、％歪みである。
【００５７】
カフコネクタシートの弾性カフへの付着
カフコネクタの部分は、長手方向に延在している弾性カフの前、股領域又は後領域で弾性カフに付着される。第１のカフ付着領域及び第２のカフ付着領域は、カフコネクタの第１又は第２の端部分を、長手方向に延在している弾性カフの領域にそれぞれ付着することによって形成される。
【００５８】
カフコネクタの弾性カフへの付着は、接着結合、圧力結合、超音波結合又は当該技術分野で周知の任意の他の付着手段によって行うことができる。カフ付着領域は、１つ以上の別個の結合（複数も可）を含んでもよい。そのような別個の結合（複数も可）は、一定の結合パターンにしたがって配置されてもよい。
【００５９】
付着領域が２つ以上の別個の結合を含む場合、これらは本明細書において単一のカフ付着領域として見なされることが理解されるべきである。
【００６０】
第１及び／又は第２のカフ付着領域（複数も可）の結合パターン密度は、２０％超、又は３０％超、又は４０％項、又は６０％超、１００％までであってもよい。
【００６１】
バリアレッグカフ
吸収性物品は、１対のバリアレッグカフを含み、長手方向に延在している弾性カフともいう。バリアレッグカフは、１片の材料、典型的には不織布から形成され得て、部分的に物品の残りの部分に結合し、その結果、材料の一部分、バリアレッグカフは、物品が例えば図１に示すように平らに引かれる場合、トップシートによって画定された平面から部分的に離れて隆起し、かつ直立し得る。バリアレッグカフは、およそ着用者の胴と脚の移行部にて液体及び他の身体排泄物の封じ込めを改善させ得る。バリアレッグカフは、おむつの前縁と後縁の間を、長手方向軸の両側面上で少なくとも部分的に延在する。バリアレッグカフは、典型的にトップシート及び／又はバックシートである物品の残りに接合された近位縁、及び着用者の皮膚と接し、封止を形成するように意図されるフリー末端縁により境界が定められる。バリアレッグカフは、近位縁で物品のシャーシと、例えばグルー接着、融着又は周知の結合手段の組み合わせで形成され得る結合により接合される。近位縁での結合は、連続的であっても、又は断続的であってもよい。レッグカフの隆起セクションに最も近い結合の側面は、レッグカフの直立セクションの近位縁の境界を定める。
【００６２】
バリアレッグカフは、トップシート又はバックシートと一体化されることができ、又はより一層典型的には、物品の残りに接合された別個の材料から形成され得る。典型的に、バリアレッグカフの材料は、おむつの全長を通って延在してもよいが、物品の前縁及び後縁に向かってトップシートに「タック結合」され、その結果、これらのセクションでは、バリアレッグカフ材料はトップシートと同一平面のままとなる。各バリアレッグカフ３４は、より良好な封止を供給するため、このフリー末端縁６６に近接して１つ、２つ又はそれ以上の弾性ストリング３５を含んでもよい。
【００６３】
各カフは、９５％又は８０％の引張歪に延伸される場合、少なくとも２０ｇ（０．２Ｎ）から１００ｇ（１．０Ｎ）まで、又は５０ｇ（０．５Ｎ）までの弾性張力を有してもよい。
【００６４】
カフ又はカフウェブ材料は、不織シート材料を含んでもよい。カフコネクタを作製するのに使用するのと同じ不織シート材料を用いてもよい。不織シート材料は、当該技術分野で周知のような、液体不浸透性である不織布バリアシート材料であってもよく、例えば、１つ以上のスパンポンド層及び／又はカード層、及び１つ以上のメルトブロー層を備える不織布積層体（複数も可）が挙げられる。不織シート材料を形成するために用いられる繊維は、ポリプロピレン繊維、ポリエチレン繊維、複合繊維、ナノ繊維及びそれらの任意の組み合わせから選択してもよい。
【００６５】
カフは、例えばおむつ寸法に応じた、任意の適切な寸法を有してもよい。それらは、おむつのほぼ全長に延在してもよい。それらは、おむつの長手方向中心線Ｙに対して垂直な、例えば少なくとも３０ｍｍ、又は例えば少なくとも４０ｍｍの横方向寸法を有してもよい。
【００６６】
バリアレッグカフに加えて、物品はガスケットカフを含んでもよく、それらは吸収性物品のシャーシ、特にトップシート及び／又はバックシートに接合し、かつバリアレッグカフに対して横方向外向きに置かれる。ガスケットカフは、着用者の大腿の周りに良好な封止をもたらし得る。通常各ガスケットレッグカフは、例えば、脚部開口部の領域のトップシートとバックシートとの間でおむつのシャーシに含まれる、１つ以上の弾性ストリング又は弾性要素を含む。
【００６７】
米国特許第３，８６０，００３号は、弾性レッグカフ（ガスケットカフ）を提供するためにサイドフラップ及び１つ以上の弾性部材を有する収縮性脚部開口部を提供する、使い捨ておむつを記載している。Ａｚｉｚらに発行された米国特許第４，８０８，１７８号及び同４，９０９，８０３号は、脚部領域の収容を改善する「直立型」の弾性フラップ（バリアレッグカフ）を有する使い捨ておむつを記載している。Ｌａｗｓｏｎ及びＤｒａｇｏｏそれぞれに発行された米国特許第４，６９５，２７８号及び同４，７９５，４５４号は、ガスケットカフ及びバリアレッグカフを含む二重カフを有する使い捨ておむつを記載している。バリアレッグカフ及び／又はガスケットカフの全て又は一部分は、ローションで処理されてもよい。
【００６８】
トップシート
おむつはトップシートを含む。
【００６９】
本明細書のトップシートは、別個のトップシート又はトップシートウェブの部分であるトップシートであってもよく、したがって、そのようなウェブは、その後、続いて複数の別個のトップシートに分割されることが理解されるべきである。本発明の目的のため、別段の記載がない限り、トップシートという場合、トップシートウェブをそれぞれ含む。バックシート及び吸収性コア（バックシートウェブ又は吸収性コアウェブであってもよい）についても、本明細書では同様に適用される。
【００７０】
本明細書のおむつのトップシートは、尿の通過を可能とする、当該技術分野で周知の任意の適切な材料から作製されてもよい。これに関して、親水性材料、又は親水性で処理された材料を含む、尿浸透性材料で作製されてもよい。それは、尿がトップシートの下の吸収性コアに通過可能な孔を含む有孔トップシートであってもよい。
【００７１】
トップシートは、親水性又は疎水性であってもよい。
【００７２】
好適なトップシート材料は、不織布材料であり、有孔フィルム、開口形成されたフィルムなど、孔を備える積層体及び／又は材料が挙げられる。
【００７３】
トップシート、又は例えばその股及び／又は後領域のみは、皮膚ケア組成物、例えば当該技術分野で周知のローションを含んでもよい。
【００７４】
締結システム
吸収性物品は、締着システムを含んでもよい。この締着システムは、テープ付きおむつでは一般的であるように、吸収性物品の周囲に横方向の張力を与えて、吸収性物品を着用者に対して保持するために使用され得る。トレーニングパンツ物品のウエスト領域は既に結合されているので、この締着システムはトレーニングパンツ物品には必須ではない。締着システムは通常、例えば、テープタブ、フックとループの締着要素、タブ及びスロットのような連結締着具、バックル、ボタン、スナップ、並びに／又は雌雄同体締着要素等の締着具を含んでもよいが、他の既知のいかなる締着手段も概ね容認できる。締着具が着脱可能に付着されるように、ランディングゾーンが通常、前ウエスト領域に設けられる。いくつかの例示的な表面締着装置がＢｕｅｌｌに発行された米国特許第３，８４８，５９４号、同第４，６６２，８７５号、同第４，８４６，８１５号、同第４，８９４，０６０号、同第４，９４６，５２７号、同第５，１５１，０９２号、及び同第５，２２１，２７４号に開示される。例示的な連結締着システムが米国特許第６，４３２，０９８号に開示されている。締着システムはまた、Ｒｏｂｅｒｔｓｏｎらに発行された米国特許第４，９６３，１４０号に開示されているように、使い捨て式の構成で物品を保持するための手段を提供してもよい。
【００７５】
締着システムはまた、重なり部分のずれを減らすために米国特許第４，６９９，６２２号に開示されるように、又はフィット感を向上するために米国特許第５，２４２，４３６号、同第５，４９９，９７８号、同第５，５０７，７３６号、同第５，５９１，１５２号に開示されるように、第１及び第２の締着システムを含んでもよい。
【００７６】
締着システムの一部として、吸収性物品は、当該技術分野で知られているように、前耳部と後耳部とを備えてもよい。耳部は、サイドパネルとして、例えば、トップシート及び／又はバックシートから形成されたシャーシの一体部分であってもよい。あるいは、耳部は、グルー接着及び／又は熱エンボス加工若しくは圧力結合により付着される分離型の要素であってもよい。後方耳部は、有利には、ランディングゾーンにタブの付着が簡易に行えて、かつ着用者の腰の周りにテープ付きおむつを適所に維持できるように伸縮可能である。後耳部はまた、より快適であり、体に巻き付くようなフィット感を付与するように弾性又は伸長可能であってもよいが、これらのフィット感は、弾性のある耳部により吸収性物品の側部が伸縮できるので、吸収性物品を最初に着用者に対して適合するようにフィットさせ、吸収性物品が排泄物で充填されてからかなり後でも着用している間ずっとこのフィット感を維持することによって付与される。
【００７７】
弾性ウエスト機構
吸収性物品は更に、改善したフィット及び封じ込めを提供する上で役立つ、少なくとも１つの弾性ウエスト機構（図示せず）を備え得る。弾性ウエスト機構は、一般的に、弾性的に伸縮して、着用者の腰に動的にフィットするように意図したものである。この弾性ウエスト機構は、好ましくは、吸収性コア２８の少なくとも一方のウエスト縁部から少なくとも長手方向に外側に延び、吸収性物品の末端縁部の少なくとも一部を概ね形成する。使い捨ておむつは、２つの弾性ウエスト機構を有するように構成され得るが、一方は、前ウエスト領域に定置され、他方は、後ウエスト領域に定置される。弾性ウエスト機構は、米国特許第４，５１５，５９５号、同第４，７１０，１８９号、同第５，１５１，０９２号、同第５，２２１，２７４号に記載されたものを含め、多くの様々な構成で構築されてもよい。
【００７８】
カフ、またガスケットカフの、及び弾性ウエスト構造及び締着システムのデザイン（寸法を含む）は、装着時のおむつの全体的なフィットに、及びカフコネクタの位置と機能に影響を与えるということを注意すべきである。弾性材料がおむつの様々な部分に用いられる場合、それら弾性挙動もそのような影響を有する。
【００７９】
各層同士の関係
典型的に、隣接する層及び構成要素は、層の表面の全体若しくは一部へのコーティング若しくは吹き付けによる接着剤コーティング、又は、熱結合、又は圧力結合、あるいはそれらの組み合わせなど、従来の結合法を用いて互いに接合される。この結合は、明確にかつ読みやすくするために、図には示されていないが（レッグカフの隆起要素とトップシートとの間の結合を除く）、物品の層同士の結合は、別段に除外されない限り、存在すると見なされるべきである。接着剤は典型的に、例えばバックシートとコアラップとの間で、異なる層の接着性を改善するために使用され得る。グルーは、当該技術分野で知られているような、任意の標準的なホットメルトグルーであってよい。
【００８０】
物品を作製する方法
本発明の吸収性物品は、当該技術分野において既知の任意の好適なプロセスにより製造され得る。特に、物品は手製であってもよく、又は高速で産業的に生産されてもよい。
【００８１】
バックシート
おむつのバックシートは、当該技術分野において既知であるように、液体不浸透性であってもよい。液体不透過性バックシートとしては、好ましくは例えば、約０．０１ｍｍ〜約０．０５ｍｍの厚さを有する熱可塑性フィルムなどの、薄いプラスチックフィルムを含む。好適なバックシート材料は、典型的には通気性材料を含み、これは、蒸気をおむつから逃す一方で、依然として滲出物が、バックシートを通過することを阻む。好適なバックシートフィルムとしては、インディアナ州テレホート所在のトレデガー・インダストリーズ社（Tredegar Industries Inc.）が製造する、Ｘ１５３０６、Ｘ１０９６２及びＸ１０９６４の商品名で販売されるものが挙げられる。
【００８２】
バックシート又はその任意の部分は、１以上の方向に弾性的に延伸可能なものでもよい。バックシートは、当該技術分野では周知の任意の付着手段によって、トップシート、吸収性コア、又はおむつの他の任意の要素に付着又は接合することができる。トップシート及びバックシートの長手方向側縁が互いに直接付着することが、非常に好ましい場合がある。
【００８３】
本発明が有用となり得るための、おむつ１０の本質的な要素が、図１及び図２に示される。とりわけ、それぞれのおむつは、本発明の特徴を未だ含んでいないが、本発明が図１及び図２に示すようなおむつに使用されると、本発明によって達成可能な利点を示すのに役立つ。
【００８４】
おむつ１０は、前縁１２及び後縁１４を含む。おむつは、また左側縁１６及び右側縁１８を有する。液体を吸収する目的のため、おむつは吸収性コア２０を含む。吸収性コア２０は、トップシート２２とバックシート２４との間に位置決めされる。トップシート２２は、おむつ１０の着用者に向かう側面上に位置決めされ、かつ少なくとも一部分で液体の通過を可能とする。バックシート２４は、しかしながら、通常防液性である（しかし、蒸気透過性であってもよい）。
【００８５】
おむつ１０は、着用者に向かう側面上に配置されるガスケットカフ２６を含み、それは図１の視野に示される。ガスケットカフ２６は、弾性材料２８を含む。これら弾性材料２８は、通常、トップシート２２とバックシート２４の間に配置される。あるいは、弾性材料２８は、バリアレッグカフ３０の拡張シートとバックシート２４との間に設けられ得る。拡張シートは、バリアレッグカフ（複数も可）と接合又は一体化されてもよい。弾性材料２８は、更に弾性接着剤のラインを形成するのに設けられてもよい。
【００８６】
おむつ１０はまた、バリアレッグカフ３０（「ＢＬＣ」又は長手方向に延在しているカフともいう）を含む。これらバリアレッグカフ３０は、おむつのバリアに向かう側面上で見えやすく、それは図１の視野に示される。バリアレッグカフ３０は、近位縁３２及び末端縁３４を呈する。近位縁３２は、おむつの長手方向に沿って延在する。典型的に、バリアレッグカフ３０は、少なくともそれらの近位縁３２に沿っておむつ１０に付着される。通常、少なくとも前縁１２及び後縁１４の近傍には、更に付着領域がある。バリアレッグカフ３０はまた、各々、長手方向にも延在する末端縁３４を有する。
【００８７】
バリアレッグカフ３０は、末端縁３４に隣接して置かれた弾性材料３６を備える。これら弾性材料３６によって、おむつ１０が装着される間、バリアレッグカフ３０を着用者と良好に接触させることができ、かつ着用者と接触したままにする。バリアレッグカフ３０の一部分は、通常、おむつ１０の他の部分に付着されず、したがってフリーフラップ３８を形成する。そのようなフリーフラップ３８は、典型的に少なくともバリアレッグカフ３０の股部分Ｂ’に設けられる。典型的に、２つの長手方向に延在しているバリアレッグカフは、おむつの両側に設けられる。図１に示すように、これらはバリアレッグカフ３０ａ及び３０ｂである。各カフは、それぞれ近位縁３２ａ，３２ｂ及びそれぞれ末端縁３４ａ，３４ｂを有する。更に、各カフはフリーフラップ３８ａ，３８ｂを備える。バリアレッグカフ、及び特にそれらのフリーフラップ３８ａ，３８ｂは、鏡像の形状で設けられ、かつおむつの長手方向軸Ｙを中心とする。
【００８８】
おむつ１０は、更に締着システムを備える。おむつの後領域Ｃでは、締着システムは後耳部４０を含む。後耳部４０は、接着テープ４２を備える。接着テープ４２用のランディングゾーン４４は、バックシート２４の領域に設けられる。おむつ１０が着用者の胴体下部の周りに置かれる場合、後耳部４０は前耳部４６と協働する。前耳部４６はタブ部分４８を含む。
【００８９】
図２は、図１の線２−２で示されるように、おむつの断面図を示す。この断面図では、コア２０の構造に関してより詳細に供給する。トップシート２２の下に、取得分散システム５０が設けられる。このシステムは、取得層５２を含み、それはトップシート２２に隣接して、又はトップシート２２の近傍に置かれる。取得層５２ａの下に、液体の分散に役立つ分散層５４が配置される。取得分散システム５０の下に、コア２０が置かれる。この図に見られるように、コア２０は多数のチャネル５６を含む。また、図１に見られるように、更なるチャネル５８など、異なる寸法の数個のチャネルを供給し得る。そのようなチャネルの間に、吸収性材料６０が配置される。吸収性材料６０は、コアラップ６２で覆われる。
【００９０】
また、専用付着手段がバリアレッグカフ３０の近位縁３２に供給されることが、図２から容易に視認可能である。示すように、この付着手段は、バリアレッグカフ結合６４の形状で供給され得る。それぞれの結合は、グルーの長手方向に延在しているラインによって供給され得る。
【００９１】
現代のおむつ（本発明を適用していない）を表す、図１及び図２に示されるおむつ１０に関して、バリアカフ３０の末端縁３４ａ及び３４ｂが高い動きの自由度を有することが明らかとなっている。本発明は、この動きの自由度を制限することに利点がある。これは、特に股領域により良好及びより再現可能なフィットをもたらすことができる。
【００９２】
図３は、本発明に従うおむつ１０のバリアに面する側面上の正面平面図を示す。おむつの中央又は股領域Ｂ及びバリアレッグカフの中央又は股領域Ｂ’には、カフコネクタ７０が配置される。カフコネクタ７０は、ストリップ７２の形状で供給される。このストリップ７２は、バリアレッグカフ３０ａ及び３０ｂのそれぞれに付着される。付着は、付着領域７４ａ及び７４ｂで達成される。カフコネクタ７０は、特にフリーフラップ３８ａ及び３８ｂでの動きの自由度を制限する。
【００９３】
図４は、図３の切断線４−４による断面図を示す。この断面図では、カフコネクタ７０が、バリアレッグカフ３０ａの末端縁３４ａをバリアレッグカフ３０ｂの末端縁３４ｂとどのように接続しているかを容易に見ることができる。カフコネクタ７０は、ストリップ７２の形状で供給される。付着領域７４ａ及び７４ｂは、バリアレッグカフ３０ａ及び３０ｂの内側に供給され、これは概ねトップシート２２に面するバリアレッグカフの側面である。それぞれの付着領域７４ａ及び７４ｂは、弾性材料３６に隣接して設けられる。しかしながら、それらはバリアレッグカフ３０の別の領域に設けられることもある。
【００９４】
図５は、本発明に従うおむつ１０の斜視図を示す。おむつ１０は、非平坦構成で示される。この構成は、おむつが装着時に呈する構成に少なくとも部分的に近似する。この構成では、バリアレッグカフ３０ａ及び３０ｂがトップシート２２上に直立するのが視認できる。それによって、フリーフラップ３８ａ及び３８ｂは高い動きの自由度を有する。一定の拡張に対して、この動きの自由度は、（図３及び４に示すように）弾性材料３６により制限される。しかしながら、カフコネクタ７０は、効率的な方法で、動きの自由度の更なる制限を供給する。カフコネクタ７０は、対向するバリアレッグカフ３０を直接、接続する。例えば弾性材料３６の使用など、バリアレッグカフ３０の構築は、カフコネクタ７０が、おむつ１０の他の部分へ付着することなく、記述された利益を達成し得ることを保証する。カフコネクタ７０は、いくつかの力の均衡によって画定される位置をとり、注意深く設計され、かつ影響され得る。これらの力は、バリアレッグカフ３０ａ及び３０ｂによって、これらカフの弾性材料３６によって、かつカフコネクタ自体によってかけられた力を含む。
【００９５】
よって、カフコネクタ７０は、おむつの他の部分への付着なしに容易にこの位置をとる。特に、バルアレッグカフ３０に含まれる張力は、カフコネクタ７０が、トップシート２２上の何らかの「自由浮動」位置に留まることを保証する。
【００９６】
本明細書で開示される寸法及び値は、列挙された正確な数値に厳密に制限されていると理解されるべきではない。代わりに、別段の定めがない限り、そのような寸法のそれぞれは、記載された値及びその値の周辺の機能的に同等の範囲の両方を意味するものとする。例えば、「４０ｍｍ」として開示される寸法は、「約４０ｍｍ」を意味するものである。
【００９７】
本明細書で引用される相互参照又は関連する特許又は出願を含む全ての文書は、明白に除外されない限り、又は別の方法で制限されない限り、その全体が参照によって本明細書に組み込まれる。いずれの文献の引用も、それらが本明細書で開示又は特許請求の範囲に記載されるいずれかの発明に対する先行技術であることを容認するものではなく、またそれらが単独で、あるいは他のあらゆる参照文献との組み合わせにおいて、そうした発明のいずれかを参照、教示、示唆又は開示していることを容認するものではない。更に、本文書における用語のいずれかの意味又は定義が、参照により組み込まれた文書の同じ用語のいずれかの任意の意味又は定義と相反する限りにおいて、本文書でその用語に与えられた意味又は定義を適用するものとする。
【００９８】
本発明の特定の実施形態が説明及び記載されてきたが、本発明の趣旨及び範囲から逸脱することなく、他の様々な変更及び修正が行えることが当業者には明白であろう。したがって、本発明の範囲内にあるそのような全ての変更及び修正を、添付の特許請求の範囲で扱うものとする。
【図１】
2016530926.tif 000003
【図２】
2016530926.tif 000004
【図３】
2016530926.tif 000005
【図４】
2016530926.tif 000006
【図５】
2016530926.tif 000007
【国際調査報告】
2016530926.tif 000008
2016530926.tif 000009
2016530926.tif 000010
2016530926.tif 000011
2016530926.tif 000012